(57)【要約】【課題】対象者のパーソナルな体験や行動との結び付きを考慮した広告コンテンツの表示技術を提供する。【解決手段】情報システムは、入力部を介して入力されたユーザの、サイネージ装置に表示される表示情報を特定する特定情報を取得することと、所定のタイミングで表示情報をサイネージ装置に出力することと、を実行する制御部を備える。【選択図】図１
2020052486.tif 000002
【特許請求の範囲】
【請求項１】
入力部を介して入力されたユーザの、サイネージ装置に表示される表示情報を特定する特定情報を取得することと、
所定のタイミングで前記表示情報を前記サイネージ装置に出力することと、
を実行する制御部を備える情報システム。
【請求項２】
前記所定のタイミングは、前記ユーザ自身または前記ユーザの意図する対象者が前記サイネージ装置に表示された前記表示情報を視認可能なタイミングである、請求項１に記載の情報システム。
【請求項３】
前記表示情報には、料金負担者の費用負担で提供される無償の広告情報が含まれる、請求項１の情報システム。
【請求項４】
前記制御部は、
前記ユーザ自身または前記ユーザの意図する対象者を検知することと、
前記ユーザ自身または前記ユーザの意図する対象者の検知を契機として、前記サイネージ装置に前記表示情報を出力することと、
を実行する、請求項２または３に記載の情報システム。
【請求項５】
前記制御部は、
前記ユーザ自身または前記ユーザの意図する対象者を検知することと、
前記ユーザの指定するタイミングを取得することと、
前記ユーザの指定するタイミングにおいて、前記サイネージ装置に前記表示情報を出力することと、
を実行する、請求項２または３に記載の情報システム。
【請求項６】
前記制御部は、
前記ユーザ自身または前記ユーザの意図する対象者から、前記サイネージ装置に表示された前記表示情報に対する視認情報を取得することと、
前記サイネージ装置に表示された前記表示情報に対する視認情報の履歴を蓄積することと、
前記蓄積された前記表示情報に対する視認情報が一定回数に達したときに、前記表示情報とともに予め設定されていたメッセージ情報を出力することと、
をさらに実行する、請求項２から５の何れか一項に記載の情報システム。
【請求項７】
入力部を介して入力されたユーザの、サイネージ装置に表示される表示情報を特定する特定情報を取得することと、
所定のタイミングで前記表示情報を前記サイネージ装置に出力することと、
を含む、情報処理方法。
【請求項８】
入力部を介して入力されたユーザの、サイネージ装置に表示される表示情報を特定する特定情報を取得することと、
所定のタイミングで前記表示情報を前記サイネージ装置に出力することと、
をコンピュータに実行させるプログラム。
【発明の詳細な説明】
【技術分野】
【０００１】
本発明は、デジタルサイネージを表示する情報システム、情報処理方法およびプログラムに関する。
【背景技術】
【０００２】
近年、地下街や道路沿い、商業施設等の様々な場所で、電子的な広告を表示デバイスに表示する、いわゆるデジタルサイネージ（電子看板）といった広告形態が普及してきている。デジタルサイネージに表示される広告の効果を高める技術として、特許文献１は、所定の範囲内に位置する複数のサイネージ装置で一斉に同一の広告コンテンツを表示させることで広告ジャック状態を発生させる技術を開示する。
【先行技術文献】
【特許文献】
【０００３】
【特許文献１】特開２０１８−０１３５１４号公報
【発明の概要】
【発明が解決しようとする課題】
【０００４】
しかしながら、上記背景技術では、不特定多数の消費者を広告対象とした、いわゆるマス広告の表示形態であり、例えば、消費者のパーソナルな体験や行動との結び付きを考慮した広告コンテンツの表示については配慮がなされていない。本発明は、消費者のパーソナルな体験や行動との結び付きを考慮した広告コンテンツの表示技術の提供を目的とする。
【課題を解決するための手段】
【０００５】
本発明の態様の一つは、情報システムとして例示される。
本情報システムは、
入力部を介して入力されたユーザの、サイネージ装置に表示される表示情報を特定する特定情報を取得することと、所定のタイミングで前記表示情報を前記サイネージ装置に出力することと、を実行する制御部を備える。
【０００６】
また、本発明の他の態様の一つは、情報処理方法として例示される。本発明は、入力部を介して入力されたユーザの、サイネージ装置に表示される表示情報を特定する特定情報を取得することと、所定のタイミングで前記表示情報を前記サイネージ装置に出力することと、を含む情報処理方法であってもよい。
【０００７】
また、本発明の他の態様の一つは、コンピュータに実行させるプログラムとして例示される。本発明は、入力部を介して入力されたユーザの、サイネージ装置に表示される表示情報を特定する特定情報を取得することと、所定のタイミングで前記表示情報を前記サイネージ装置に出力することと、をコンピュータに実行させるプログラム、または、当該プログラムを非一時的に記憶したコンピュータ可読記憶媒体であってもよい。
【発明の効果】
【０００８】
本発明によれば、消費者のパーソナルな体験や行動との結び付きを考慮した広告コンテンツの表示技術が提供できる。
【図面の簡単な説明】
【０００９】
【図１】第１実施形態に係るサイネージシステムのシステム構成の一例を示す図である。
【図２】購入されたサイネージ枠について説明する図である。
【図３】管理サーバ、端末装置、サイネージ装置の各ハードウェア構成の一例を示す図である。
【図４】管理サーバの機能構成の一例を示す図である。
【図５】予約表示情報ＤＢに格納される予約表示情報の一例である。
【図６】サイネージ枠の購入予約の登録処理の一例を示すフローチャートである。
【図７】購入予約された表示情報およびメッセージ情報の表示処理の一例を示すフローチャートである。
【図８】購入予約された表示情報およびメッセージ情報の表示処理の一例を示すフローチャートである。
【図９】変形例１の管理サーバの機能構成の一例を示す図である。
【図１０】変形例１の表示処理の一例を示すフローチャートである。
【図１１】変形例２の表示処理の一例を示すフローチャートである。
【図１２】第２実施形態に係るサイネージシステムのシステム構成の一例を示す図である。
【図１３】第２実施形態に係る管理サーバの機能構成の一例を示す図である。
【図１４】第２実施形態に係る広告情報ＤＢに格納される広告情報の一例である。
【図１５】第２実施形態に係る表示情報の表示処理の一例を示すフローチャートである。
【図１６】第３実施形態に係る管理サーバの機能構成の一例を示す図である。
【図１７】第３実施形態に係る予約表示情報ＤＢに格納される予約表示情報の一例である。
【図１８】視認情報の取得処理の一例を示すフローチャートである。
【図１９】第３実施形態の表示処理の一例を示すフローチャートである。
【発明を実施するための形態】
【００１０】
本実施の形態の第１の態様に係るサイネージシステムは、入力部を介して入力されたユーザの、サイネージ装置に表示される表示情報を特定する特定情報を取得することと、所定のタイミングで前記表示情報を前記サイネージ装置に出力することと、を実行する制御部を備える。ここで、表示情報として、広告主が提供する商材等の広告コンテンツが例示できる。
【００１１】
このような態様によれば、サイネージシステムは、ユーザの指定するサイネージ装置に対して、当該ユーザの好みや目的に応じた広告コンテンツを表示情報として、当該ユーザの指定する日時および時間帯に表示できる。また、ユーザ自身またはユーザの意図する対象者がサイネージ装置に表示された表示情報を視認可能なタイミング表示できる。さらに、表示情報には、広告主の費用負担で提供される無償の広告情報を含むことができる。このような態様では、ユーザのパーソナルな体験や行動との結び付きを考慮した広告コンテンツの表示が可能になる。
【００１２】
第１の態様において、制御部は、前記ユーザ自身または前記ユーザの意図する対象者を検知することと、前記ユーザ自身または前記ユーザの意図する対象者の検知を契機として、前記サイネージ装置に前記表示情報を出力することと、を実行するようにしてもよい。このような態様によれば、サイネージシステムは、サイネージ装置に表示された表示情報を、対象者を検知したタイミングで表示できるため、当該表示情報の視認可能性を高めることができる。
【００１３】
第１の態様において、制御部は、前記ユーザ自身または前記ユーザの意図する対象者から、前記サイネージ装置に表示された前記表示情報に対する視認情報を取得することと、
前記サイネージ装置に表示された前記表示情報に対する視認情報の履歴を蓄積することと、前記蓄積された前記表示情報に対する視認情報が一定回数に達したときに、前記表示情報とともに予め設定されていたメッセージ情報を出力することと、をさらに実行するようにしてもよい。ここで、視認情報とは、サイネージ装置に表示された表示情報を閲覧（視認）したことを示す情報である。
【００１４】
このような態様によれば、サイネージシステムは、サイネージ装置に表示された表示情報に対する対象者の閲覧状況に応じた表示情報を表示させることができる。また、対象者へのメッセージ情報を含めることで、表示情報を閲覧する対象者との結び付きを、より効果的に高めることができる。
【００１５】
以下、図面を参照して、一実施の形態を説明する。以下の実施形態の構成は例示であり、発明を実施するための態様は、以下に説明する実施形態の構成には限定されない。
【００１６】
＜第１実施形態＞
（システム概要）
図１は、第１実施形態に係るサイネージシステム１のシステム構成の一例を示す図である。図１のサイネージシステム１は、消費者の意図する対象者が視認可能なタイミングで表示情報をサイネージ装置に出力するシステムである。サイネージシステム１は、「情報システム」の一例である。本実施形態において、表示情報とは、静止画像や動画像等で構成されたコンテンツを含む電子的な広告データを言う。
【００１７】
第１実施形態に係るサイネージシステム１は、ネットワークＮ１によって相互に接続される管理サーバ１０と、端末装置２０と、複数のサイネージ装置（３０＃１〜３０＃３）と、スポンササーバ４０とを含む。ネットワークＮ１は、例えば、インターネット等の公衆ネットワークである。ネットワークＮ１は、携帯電話網の無線ネットワーク、ＶＰＮ（Virtual Private Network）等の専用ネットワーク、ＬＡＮ（Local Area Network）等の
ネットワークを含んでもよい。
【００１８】
また、端末装置２０と複数のサイネージ装置（３０＃１〜３０＃３）のそれぞれとは、ネットワークＮ２を通じて接続される。ネットワークＮ２は、例えば、ブルートゥース（Bluetooth（登録商標））やＮＦＣ（Near Field Communication）、ＵＷＢ（Ultra-Wideband）、ＷｉＦｉ（登録商標）、ＢＬＥ（Bluetooth Low Energy）等を含む近距離無線ネ
ットワークである。端末装置２０と複数のサイネージ装置（３０＃１〜３０＃３）のそれぞれとは、ネットワークＮ２を通じて直接に通信可能である。
【００１９】
なお、図１では、１台の管理サーバ１０と端末装置２０とスポンササーバ４０と、３台のサイネージ装置（３０＃１〜３０＃３）が代表的に例示される。ネットワークＮ１には、複数の管理サーバ１０、端末装置２０、スポンササーバ４０が接続され得る。また、ネットワークＮ１に接続されるサイネージ装置の数は例示の台数に限られず、何台であってもよい。以下では、ネットワークＮ１に接続され得る複数のサイネージ装置を総称して「サイネージ装置３０」とも言う。
【００２０】
スポンササーバ４０は、広告主である企業や広告代理店等が運営するサーバ装置である。スポンササーバ４０を介して、広告主が表示を依頼する静止画像や動画像等で構成されたコンテンツを含む電子的な広告データが表示情報として管理サーバ１０に登録される。広告主が表示を依頼する表示情報は、例えば、サイネージ装置３０が設置される領域、サイネージ装置３０に表示させる期間や時間帯、表示情報として表示する広告データの構成パターン等を示す情報とともに管理サーバ１０に登録される。スポンササーバ４０を介して管理サーバ１０に登録された表示情報は、広告主が当該表示情報を表示させるサイネー
ジ装置３０の使用に関する料金負担者になる。
【００２１】
サイネージ装置３０は、管理サーバ１０から出力された表示情報を受信し、当該表示情報を表示デバイスに表示する装置である。表示デバイスは、サイネージ装置３０と一体的に構成してもよく、当該サイネージ装置と別体に構成してもよい。サイネージ装置３０の備える表示デバイスは、例えば、液晶ディスプレイ、有機ＥＬディスプレイ、ＬＥＤマトリクス、プロジェクタなどを用いて構成される。
【００２２】
なお、サイネージ装置３０による表示情報の表示形態は、例えば、当該サイネージ装置が設置された場所の実在する風景に、ＣＧ（Computer Graphics）等で生成された視覚情
報を重ねて表示するＡＲ（Augmented Reality）であってもよい。同様にして、例えば、
ＣＧ等で生成された視覚情報を、サイネージ装置３０が設置された場所に近接する建物や物体、空間に投影するプロジェクションマッピング(Projection Mapping)であってもよい。
【００２３】
端末装置２０は、例えば、スマートフォン、携帯電話端末、タブレット端末、個人情報端末、ウェアラブルコンピュータ（スマートウォッチ等）等の小型のコンピュータである。但し、端末装置２０は、消費者が携帯可能なパーソナルコンピュータ（ＰＣ：Personal
Computer）であってもよく、サイネージ装置３０に表示された表示情報を閲覧する対象
者が運転操作する車両に搭載された車載機であってもよい。
【００２４】
消費者の有する端末装置２０には、例えば、サイネージ装置３０のサイネージ枠を購入するためのアプリケーションプログラム（以下、「アプリ」とも称す）がインストールされている。ここで、サイネージ枠とは、サイネージ装置３０における表示情報の表示期間（日時、時間帯）の割り当てを言う。サイネージ枠の購入は、表示情報と当該表示情報を表示させるサイネージ装置３０および当該表示情報を表示させる期間（日時、時間帯）の指定とともに行われる。消費者は、アプリの実行を介し、サイネージ枠の購入を行うことで、所望の場所に設置されたサイネージ装置３０に、好みや目的に応じた表示情報を表示させるサイネージ枠を管理サーバ１０に予約登録できる。
【００２５】
第１実施形態に係る管理サーバ１０は、サイネージ装置３０に表示される表示情報を管理する。表示情報は、例えば、サイネージ装置３０が設けられた場所（地点）毎に、当該サイネージ装置に表示する期間や時間帯に関連付けて管理される。
【００２６】
そして、第１実施形態に係る管理サーバ１０は、アプリが実行された端末装置２０を操作する消費者（以下、「ユーザ」とも称す）から、サイネージ枠の購入を受け付ける。管理サーバ１０は、例えば、購入を希望するサイネージ枠の期間（日時、時間帯）の指定、サイネージ装置３０が設置された領域を指定する情報とともにサイネージ枠の購入を受け付ける。
【００２７】
管理サーバ１０は、例えば、登録された表示情報と、ユーザから受け付けた購入を希望するサイネージ枠の期間およびサイネージ装置３０の設置領域を指定する情報から、購入可能なサイネージ装置３０を抽出する。管理サーバ１０は、抽出されたサイネージ装置３０の位置情報とともに、当該サイネージ装置について登録された表示情報の属するジャンルを端末装置２０に通知する。ここで、スポンササーバ４０を介して管理サーバ１０に登録された表示情報は、予めサイネージ装置３０への表示が決定されている情報であるため、サイネージ枠の使用に対するユーザの費用負担は無償になる。サイネージ枠の使用についての料金負担者は、当該表示情報の表示を登録した企業や広告代理店等である。
【００２８】
端末装置２０では、例えば、アプリを介して通知された各サイネージ装置の設置場所が
地図上に表示されるとともに、当該サイネージ装置について登録された表示情報（広告コンテンツ）の属するジャンルの一覧が表示される。ユーザは、例えば、端末装置２０に表示された上記情報を閲覧し、自身の好みや目的に対応する表示情報、当該表示情報を表示させるサイネージ装置３０を絞り込み、購入対象になるサイネージ枠を決定する。また、ユーザは、例えば、端末装置２０のアプリの案内画面にしたがって、表示情報とともに表示させたいメッセージ情報を入力する。同様にして、サイネージ装置３０に表示された表示情報を閲覧させる対象者を特定するための情報を入力する。対象者を特定するための情報は、例えば、対象者の所有する車両の自動車登録番号（ナンバープレートに標記された番号）や、対象者の所有する端末装置２０の識別情報（電話番号やメールアドレス、ＭＡＣアドレス等）である。端末装置２０は、例えば、ユーザの購入予約決定の操作入力を受け付け、選定された表示情報やサイネージ装置３０、入力されたメッセージ情報や対象者を特定するための情報を管理サーバ１０に通知する。
【００２９】
管理サーバ１０は、ユーザの端末装置２０から通知されたサイネージ枠を予約表示情報として管理する。そして、管理サーバ１０は、後述するように、予約された日時および時間帯にユーザの好みや目的に対応して選定された表示情報やメッセージ情報をサイネージ装置３０に表示させる。管理サーバ１０は、例えば、ユーザの意図する対象者を特定するための情報に基づいて当該対象者を検知し、当該対象者が視認可能なタイミングで表示情報をサイネージ装置３０に表示させる。
【００３０】
なお、サイネージ装置３０において、ユーザの指定するサイネージ枠の期間に表示させる表示情報が未定のケースが想定される。このようなケースでは、例えば、サイネージ枠の使用に対する料金負担を条件として、ユーザの好みや目的に対応する表示情報を表示させるようにしてもよい。
【００３１】
管理サーバ１０は、例えば、サイネージ装置３０の抽出の際に、表示情報が未定、すなわち、スポンササーバ４０を介した表示情報の登録が行われていないサイネージ装置３０を含めてユーザに通知する。但し、表示情報が未定のサイネージ装置３０については有料を示す識別子が付加されて通知される。端末装置２０は、例えば、当該識別子に基づいてサイネージ装置３０が有料であることを区別して、他の無償のサイネージ装置３０とともに表示する。そして、管理サーバ１０は、有料のサイネージ装置３０が選定されたときには、例えば、使用料金の支払いの確認を条件として、購入予約されたサイネージ枠を予約表示情報として管理すればよい。
【００３２】
図２は、購入されたサイネージ枠について説明する図である。図２において、車両Ｖ１は、サイネージ装置３０に表示された表示情報を見せたい対象者が運転する車両とする。車両Ｖ１は、対象者の勤務先である地点Ａから破線矢印で示す経路を辿り、自宅である地点Ｂに移動するものとする。車両Ｖ１の経路には、地点Ａから地点Ｂに向かって順に、サイネージ装置３０＃１、３０＃２、３０＃３が道路沿いに設けられている。
【００３３】
ここで、対象者は、例えば、流行りのゲームを買ってもらいたい子供の父親であるとする。子供は、例えば、当該ゲームの広告コンテンツが表示可能なサイネージ装置３０＃１、３０＃２、３０＃３のサイネージ枠のサイネージ枠を購入するように母親にお願いする。母親は、例えば、端末装置２０に搭載されたアプリを介し、サイネージ装置３０＃１、３０＃２、３０＃３のサイネージ枠の予約購入を行う。例えば、広告代理店が取り扱う、当該ゲームの広告コンテンツと企業名「ＳＱＥ＊＊ｘ」を含む表示情報のサイネージ枠が期日および時間帯を指定して予約される。
【００３４】
指定された期日、対象者（父親）の運転する車両Ｖ１は、サイネージ枠へ指定された時間帯に、道路沿いに設けられたサイネージ装置３０＃１の前を通過する。管理サーバ１０
は、例えば、予約されたサイネージ枠の指定期日および指定時間帯に、母親によって選択された当該ゲームの広告コンテンツを表示情報としてサイネージ装置３０＃１に出力する。サイネージ装置３０＃１の前を通過する対象者には、当該時間帯で表示された表示情報、例えば、当該ゲームの主人公のキャラクターが描画された静止画像が企業名とともに表示される。
【００３５】
地点Ａから地点Ｂに移動中の車両Ｖ１は、サイネージ枠へ指定された時間帯に、サイネージ装置３０＃２の前を通過する。管理サーバ１０は、サイネージ装置３０＃１と同様にして、サイネージ装置３０＃２のサイネージ枠へ指定された期日および時間帯に、当該ゲームの広告コンテンツを含む表示情報を出力する。サイネージ装置３０＃２の前を通過する対象者には、例えば、予め定められた当該ゲームの戦闘シーンが動画像として表示されるとともに、ゲームタイトルを含む企業名の静止画像が表示される。
【００３６】
そして、対象者の運転する車両Ｖ１は、サイネージ枠へ指定された時間帯に、自宅付近に設けられたサイネージ装置３０＃３の前を通過する。当該サイネージ装置には、他のサイネージ装置３０と同様にして該ゲームの広告コンテンツを含む表示情報が出力される。例えば、サイネージ装置３０＃３の前を通過する対象者には、予め定められた当該ゲームのキャラクターの勝利のポーズを決めるシーンが動画像として表示されるとともに、ゲームタイトルを含む企業名の静止画像が表示される。なお、サイネージ枠の購入の際にメッセージ情報が入力された場合には、当該メッセージ情報が動画像に重畳して表示される。
【００３７】
このように、本実施形態に係るサイネージシステム１では、見せたい表示情報（ゲームの広告コンテンツ）を見せたい人（車両Ｖ１を運転する父親）に、見せたいタイミング（表示情報の視認可能な時間帯）で閲覧させることが可能になる。サイネージシステム１では、サイネージ装置３０のサイネージ枠および表示情報を用いて、サイネージ枠を予約購入したユーザと、当該ユーザの意図する対象者とを結びつける機会の提供が可能になる。さらに、対象者へのメッセージ情報を含めることで、表示情報を閲覧する対象者と、当該表示情報を指定するユーザとをより効果的に結び付けることができる。
【００３８】
他の機会として、次のケースが例示される。例えば、図２において、サイネージ枠を予約購入したユーザが車両Ｖ１を運転するものとする。車両Ｖ１には、ユーザがプロポーズしたい同乗者が乗車しているものとする。車両Ｖ１は、例えば、同乗者の勤務先である地点Ａから破線矢印で示す経路を辿り、同乗者の自宅である地点Ｂに移動するものとする。車両Ｖ１の経路には、地点Ａから地点Ｂに向かって順に、サイネージ装置３０＃１、３０＃２、３０＃３が道路沿いに設けられている。
【００３９】
ユーザは、プロポーズを行う期日前に、自身の所有する端末装置２０に搭載されたアプリを実行し、地点Ａおよび地点Ｂを含む領域とともにプロポーズを行う期日および時間帯を指定し、サイネージ枠の購入を行っている。例えば、広告代理店が取り扱う、装飾品・貴金属の有名企業「ＴＦ＊＊Ｎｙ」の表示情報が表示されるサイネージ枠のサイネージ装置３０＃１、３０＃２、３０＃３が予約されている。選定された表示情報は複数の構成パターンを含み、サイネージ装置毎に異なる構成パターンの広告コンテンツが表示される。例えば、サイネージ装置３０＃１は、婚約指輪の静止画像を表示し、サイネージ装置３０＃２は、身に着けた婚約指輪を眺め微笑む女優の動画像を表示する。また、サイネージ装置３０＃３は、婚約指輪を手にした男優がプロポーズする映画シーンの動画像を表示する。
【００４０】
なお、サイネージ装置３０＃３について、表示情報とともに表示されるメッセージ情報が登録され、対象者を特定するための情報としてユーザの有する端末装置２０が登録されている。端末装置２０は、後述のように、アプリを介して自装置の位置情報（緯度、経度
）を所定の周期間隔で定期的に管理サーバ１０に送信する。
【００４１】
管理サーバ１０は、例えば、端末装置２０から送信された位置情報に基づいて、指定された時間帯に各サイネージ装置の設置場所に近接するユーザを検知し、予約された表示情報を当該サイネージ装置に表示させる。管理サーバ１０は、例えば、端末装置２０が各サイネージ装置の設置場所に対して所定の閾値範囲内に位置することを条件として、予約された表示情報を当該サイネージ装置に表示させる。
【００４２】
ユーザが運転する車両Ｖ１の同乗者は、先ず、勤務先に近い場所に設置されたサイネージ装置３０＃１の前を通過するタイミングで表示された、婚約指輪の静止画像を視認できる。次に、自宅に向かって移動中の同乗者は、サイネージ装置３０＃２の前を通過するタイミングで表示された、身に着けた婚約指輪を眺め微笑む女優の動画像を視認できる。そして、同乗者は、自宅付近に設置されたサイネージ装置３０＃３の前を通過するタイミングで表示された、婚約指輪を手にした男優がプロポーズする映画シーンの動画像と予め登録されたユーザのメッセージ情報とを視認できる。ユーザは、例えば、動画像が表示されたサイネージ装置３０＃３の前に車両Ｖ１を停車させて、同乗者にプロポーズし、実物の婚約指輪を同乗者に手渡すことが可能になる。このようなケースでも、第１実施形態に係るサイネージシステム１では、消費者のパーソナルな体験や行動との結び付きを考慮した広告コンテンツが表示可能になる。
【００４３】
なお、サイネージ装置３０に近接するユーザ、あるいは、ユーザの意図する対象者の検知は、上述した位置情報以外の他の形態を用いてもよい。例えば、カメラで撮像された映像に基づいて行うこともできる。例えば、サイネージ装置３０は、自装置の前を通過する車両等を撮影するカメラを備えるものとする。また、管理サーバ１０には、対象者を特定するための情報としてユーザあるいは対象者の運転する車両の自動車登録番号が登録されているものとする。
【００４４】
管理サーバ１０は、例えば、予約された時間帯の開始時刻で、サイネージ装置３０に対して当該サイネージ装置前方の撮影を指示する。そして、管理サーバ１０は、撮像画像を取得し、サイネージ装置３０で撮像された撮像画像と、予め登録された自動車登録番号との照合に基づいて、ユーザあるいは対象者の運転する車両を特定する。管理サーバ１０は、例えば、撮像された撮像画像内に予め登録された自動車登録番号を検知したタイミングで、当該サイネージ装置３０に広告コンテンツを含む表示情報を表示させるように指示すればよい。
【００４５】
また、サイネージ装置３０に近接するユーザ、あるいは、ユーザの意図する対象者の検知を、端末装置２０との間の近距離無線ネットワークを通じて行うこともできる。サイネージ装置３０は、例えば、近距離無線が可能な通信部を備え、管理サーバ１０には、ユーザあるいは対象者の所有する端末装置２０の識別情報（例えば、ＭＡＣアドレス等）が登録されているものとする。
【００４６】
管理サーバ１０は、例えば、予約された時間帯の開始時刻で、サイネージ装置３０に対して端末装置２０の識別情報を指定した応答要求を送信するように指示する。サイネージ装置３０の設置位置に対して、近距離無線通信が可能な範囲に存在する端末装置２０は、当該応答要求に対して自装置の識別情報を含む応答をサイネージ装置３０に送信する。管理サーバ１０は、サイネージ装置３０による端末装置２０の応答要求に対する応答送信の検知を契機として、当該サイネージ装置３０に広告コンテンツを含む表示情報を表示させるように指示すればよい。サイネージシステム１の備える、ユーザ、あるいは、ユーザの意図する対象者の検知は、少なくとも、サイネージ装置３０に近接するといった、当該サイネージ装置に表示された表示情報への視認可能なタイミングを特定するものであればよ
い。
【００４７】
第１実施形態によれば、管理サーバ１０は、ユーザの指定するサイネージ装置３０に対して、当該ユーザの好みや目的に応じた表示情報を、当該ユーザの指定する日時および時間帯に表示できる。また、管理サーバ１０は、ユーザの意図するメッセージを表示情報とともに表示できる。さらに、管理サーバ１０は、ユーザの意図する対象者を特定するための情報に基づいて当該対象者を検知し、当該対象者が視認可能なタイミングで表示情報を表示できる。第１実施形態によれば、サイネージ装置３０を通じて、見せたい人（ユーザの意図する対象者）に、コンテンツ（表示情報およびメッセージ情報）を指定し、見せたいタイミング（日時、時間帯）で見せることが可能になる。
【００４８】
（ハードウェア構成）
図３は、管理サーバ１０、端末装置２０、サイネージ装置３０の各ハードウェア構成の一例を示す図である。スポンササーバ４０は管理サーバ１０と同様のハードウェア構成を有するため、図３では省略される。なお、図３に例示のサイネージ装置３０の構成形態は、所定範囲に存在するユーザあるいは対象者を検知するための構成要素として通信部３０５Ｂ、カメラ３０６を有する形態の一例である。図２で説明したように、サイネージシステム１が、端末装置２０の位置情報に基づいてサイネージ装置３０の所定範囲内に位置するユーザあるいは対象者を検知する構成のときには、通信部３０５Ｂ、カメラ３０６を省略してもよい。また、サイネージシステム１が、通信部３０５Ｂと端末装置２０との間の通信を介して、サイネージ装置３０の所定範囲内に位置するユーザあるいは対象者を検知する構成のときには、カメラ３０６を省略してもよい。同様にして、サイネージシステム１が、カメラ３０６による撮像画像に基づいて、サイネージ装置３０の所定範囲内に位置するユーザあるいは対象者を検知する構成のときには、通信部３０５Ｂを省略してもよい。
【００４９】
管理サーバ１０は、例えば、汎用または専用のコンピュータである。管理サーバ１０は、バスによって相互に接続されたプロセッサ１０１、主記憶部１０２、補助記憶部１０３、通信部１０４を構成要素に備える。主記憶部１０２および補助記憶部１０３は、管理サーバ１０が読み取り可能な記録媒体である。上記の構成要素はそれぞれ複数に設けられてもよいし、一部の構成要素を設けないようにしてもよい。管理サーバ１０のプロセッサ１０１は、「制御部」の一例である。
【００５０】
プロセッサ１０１は、例えば、ＣＰＵ（Central Processing Unit）である。プロセッ
サ１０１は、主記憶部１０２の作業領域に実行可能に展開されたコンピュータプログラムを実行し、管理サーバ１０全体の制御を行う。プロセッサ１０１は、コンピュータプログラムの実行を通じて周辺機器の制御を行うことで所定の目的に合致した機能を提供する。但し、プロセッサ１０１は、単一のプロセッサに限定される訳ではなく、マルチプロセッサ構成であってもよい。また、単一のソケットで接続される単一のＣＰＵがマルチコア構成であってもよい。また、管理サーバ１０の提供する処理機能の一部が、ＤＳＰ（Digital Signal Processor）、ＡＳＩＣ（Application Specific Integrated Circuit）、ＧＰ
Ｕ（Graphics Processing Unit）等によって提供されてもよい。また、処理機能の少なくとも一部が、ＦＰＧＡ（Field-Programmable Gate Array）、数値演算プロセッサ、画像
処理プロセッサ等の専用ＬＳＩ（large scale integration）、その他のディジタル回路
、アナログ回路であってもよい。
【００５１】
主記憶部１０２は、プロセッサ１０１が実行するコンピュータプログラム、プロセッサ１０１が処理するデータ等を記憶する。主記憶部１０２は、例えば、フラッシュメモリ、ＲＡＭ（Random Access Memory）やＲＯＭ（Read Only Memory）等である。補助記憶部１０３は、各種のプログラムおよび各種のデータを読み書き自在に記録媒体に格納する不揮
発性の記憶装置である。補助記憶部１０３は、外部記憶装置とも呼ばれる。補助記憶部１０３は、例えば、フラッシュメモリ、ハードディスクドライブ（ＨＤＤ、Hard Disk Drive）、ＳＳＤ（Solid State Drive）等である。補助記憶部１０３に格納されている各種のプログラムには、例えば、ＯＳ（Operating System）が含まれる。ＯＳは、通信部１０４を介して接続される外部装置等とのデータの受け渡しを行う通信インターフェースプログラムを含む。
【００５２】
通信部１０４は、ネットワークＮ１とのインタフェースである。通信部１０４は、例えば、ＬＡＮ（Local Area Network）インターフェースボード、無線通信のための無線通信回路を含む。管理サーバ１０は、通信部１０４を介して、ネットワークＮ１に接続し、当該ネットワークを通じて、端末装置２０、サイネージ装置３０等と通信する。
【００５３】
なお、管理サーバ１０のハードウェア構成は、図３に示されるものに限定されない。管理サーバ１０は、例えば、可搬記録媒体に記録されたプログラムを読み込み、主記憶部１０２に展開し、実行することができる。可搬記録媒体は、例えば、ＵＳＢ（Universal Serial Bus）メモリ、ＣＤ（Compact Disc）、ＤＶＤ（Digital Versatile Disc）、Ｂｌｕ−ｒａｙ（登録商標）ディスクのようなディスク記録媒体である。
【００５４】
端末装置２０は、プロセッサ２０１、主記憶部２０２、補助記憶部２０３、表示部２０４、入力部２０５、通信部２０６Ａ、通信部２０６Ｂ、位置情報検出部２０７を有する。プロセッサ２０１、主記憶部２０２、補助記憶部２０３については、管理サーバ１０のプロセッサ１０１、主記憶部１０２、補助記憶部１０３と同様であるため、説明は省略される。なお、端末装置２０の補助記憶部２０３には、サイネージ枠を予約購入するためのアプリが格納される。
【００５５】
表示部２０４は、例えば、ＬＣＤ（Liquid Crystal Display）、ＥＬ（Electroluminescence）パネル等である。なお、表示部２０４には、音声案内やメッセージ等を報知する
ためのスピーカが設けられてもよい。入力部２０５は、例えば、文字等の記号を入力可能なタッチパネルや押しボタン、音声を入力可能なマイクロフォン、動画像や静止画像を撮像可能なカメラ等を含む。
【００５６】
通信部２０６Ａは、例えば、ＷｉＦｉ等の無線通信、ＬＴＥ、ＬＴＥ−Ａｄｖａｎｃｅｄ、３Ｇ等の携帯電話網に採用されている通信方式に対応する通信回路である。端末装置２０は、通信部２０６Ａを通じてネットワークＮ１にアクセスし、管理サーバ１０等と通信を行う。通信部２０６Ｂは、例えば、ブルートゥースやＮＦＣ、ＢＬＥ等の近距離無線通信に対応する通信回路である。端末装置２０は、通信部２０６Ｂを通じてネットワークＮ２にアクセスし、道路沿い等に設けられたサイネージ装置３０等との間で通信を行う。
【００５７】
位置情報検出部２０７は、例えば、地球の周囲を周回する複数のＧＰＳ（Global Positioning Satellite）衛星からのＧＰＳ信号に基づいて自装置の位置情報（緯度、経度）を検出する。位置情報検出部２０７は、検出した位置情報を所定の周期間隔で取得し、取得した時刻情報に対応付けて記録する。位置情報検出部２０７によって記録された情報は、通信部２０６Ａを介してネットワークＮ１に接続された管理サーバ１０に定期的、あるいは、管理サーバ１０の要求に応じて送信される。
【００５８】
なお、端末装置２０は、例えば、ユーザや対象者が運転する車両に搭載されたナビゲーション装置等であってもよい。この場合には、ナビゲーション装置等が備える表示部、入力部等を共有して使用可能な構成要素に割り当てることができる。また、当該ナビゲーション装置等が備えるＧＰＳ受信ユニットを位置情報検出部２０７に割り当てることができる。
【００５９】
サイネージ装置３０は、プロセッサ３０１、主記憶部３０２、補助記憶部３０３、表示部３０４、通信部３０５Ａ、通信部３０５Ｂ、カメラ３０６を含む。プロセッサ３０１、主記憶部３０２、補助記憶部３０３の説明は、管理サーバ１０のプロセッサ１０１、主記憶部１０２、補助記憶部１０３の説明と同様であるため省略される。また、表示部３０４、通信部３０５Ａ、通信部３０５Ｂの説明は、端末装置２０の表示部２０４、通信部２０６Ａ、通信部２０６Ｂの説明と同様であるため省略される。但し、図１で説明したように、表示部３０４には、ＬＥＤマトリクス、プロジェクタ等の構成要素が含まれる。また、表示部３０４は、サイネージ装置３０の筐体に一体的に設けられてもよく、サイネージ装置３０の筐体とは別体に設けられるとしてもよい。
【００６０】
カメラ３０６は、例えば、ＣＣＤ（Charged-Coupled Devices）、ＣＭＯＳ（Complementary Metal-Oxide-Semiconductor）等のイメージセンサによる撮影装置である。カメラ３０６は、単眼カメラであってもよくステレオであってもよい。また、カメラ３０６は、赤外線カメラであってもよい。カメラ３０６は、典型的には、サイネージ装置３０の筐体に一体的に設けられ、当該サイネージ装置の前方付近の映像を、所定のフレーム周期（例えば、３０fps）で撮影する。但し、カメラ３０６は、サイネージ装置３０の筐体とは別体
に設けられるとしてもよい。カメラ３０６で撮影された映像は、例えば、補助記憶部３０３等に記録され、通信部３０５Ａを介してネットワークＮ１に接続された管理サーバ１０に定期的、あるいは、管理サーバ１０の要求に応じて送信される。管理サーバ１０においては、例えば、所定のフレーム周期で撮影されたフレーム画像に対するパターンマッチング等により、対象者を特定するための情報として登録された車両の、自動車登録番号（ナンバープレートに標記された番号）等が検知される。
【００６１】
（機能構成）
図４は、管理サーバ１０の機能構成の一例を示す図である。管理サーバ１０は、機能構成要素として、受付部１１、登録処理部１２、位置情報取得部１３、表示情報出力部１４、サイネージ装置データベース（ＤＢ）１５、広告情報ＤＢ１６、購入者情報ＤＢ１７、地図情報ＤＢ１８、予約表示情報ＤＢ１９を含む。地図情報ＤＢ１８には、地物位置を含む地図データ、当該地図データ上の各地点の特性を示す文字や写真等のＰＯＩ（Point of
interest）情報を含む地図情報が格納される。なお、地図情報ＤＢ１８は、ネットワー
クＮ１に接続される他のシステム、例えば、ＧＩＳ（Geographic Information System）
から提供されてもよい。これらの機能構成要素は、例えば、管理サーバ１０のプロセッサ１０１が、補助記憶部１０３に記憶された各種プログラムを実行することで提供される機能構成要素である。但し、各機能構成素のいずれか、またはその処理の一部がハードウェア回路により実行されてもよい。また、各機能構成素のいずれか、またはその処理の一部がネットワークＮ１に接続された他のコンピュータにより実行されてもよい。
【００６２】
受付部１１は、サイネージ装置３０に対する、広告主が表示情報として表示を依頼する静止画像や動画像等で構成されたコンテンツを含む電子的な広告データを、スポンササーバ４０を介して受け付ける。受付部１１は、スポンササーバ４０を介して受け付けた表示情報を広告情報ＤＢ１６に格納する。広告情報ＤＢ１６は、例えば、広告主を識別する識別情報（広告主ＩＤ）毎のレコードを備える。当該レコードには、サイネージ装置３０の設置された領域を示す領域ＩＤ、サイネージ装置３０の識別情報（装置ＩＤ）、表示情報を識別する識別番号、表示情報を構成する広告コンテンツのデータ（広告データ）、広告主が指定する表示期間、時間帯が格納される。また、当該レコードには、ゲームや装飾品等の表示情報の属するジャンルを示す情報、表示情報の表示形態（静止画像、スライドショー、動画像、プロジェクションマッピング、ＡＲ等）を示すデータ種別情報、広告データの構成パターンを示す識別番号が格納される。
【００６３】
なお、サイネージ装置３０は、サイネージ装置ＤＢ１５によって管理される。サイネージ装置ＤＢ１５は、例えば、サイネージ装置３０の装置ＩＤ毎のレコードを備える。当該レコードには、サイネージ装置３０の管理者を示す管理者ＩＤ、サイネージ装置３０の使用に関する契約期間を示す情報、領域ＩＤ、設置個所の位置情報（緯度、経度）が格納される。また、当該レコードには、表示可能な広告データの形態（静止画像、スライドショー、動画像、プロジェクションマッピング、ＡＲ等）を示す情報、表示に関する制限事項（例えば、表示不可期間等）が格納される。さらに、当該レコードには、対象者を検知するための構成の有無、構成の種別を示す情報（カメラ、近距離無線等）が格納される。
【００６４】
また、受付部１１は、サイネージ枠を購入するアプリのダウンロードの際に登録された、ユーザの登録情報を購入者情報ＤＢ１７に格納する。購入者情報ＤＢ１７は、例えば、ユーザを識別する識別情報（ユーザＩＤ）毎のレコードを備える。当該レコードには、ユーザの氏名、性別、ユーザの端末装置２０を識別する識別情報（電話番号やメールアドレス、ＭＡＣアドレス等）、位置情報の取得の有無、近距離無線等の有無が格納される。
【００６５】
登録処理部１２は、アプリを介した端末装置２０からのサイネージ枠の購入を受け付ける。サイネージ枠の購入は、購入を希望するサイネージ枠の期間（日時、時間帯）、サイネージ装置３０が設置された領域が指定される。登録処理部１２は、例えば、広告情報ＤＢ１６を参照し、ユーザの指定するサイネージ枠の購入条件を満たすサイネージ装置３０を抽出する。そして、登録処理部１２は、抽出されたサイネージ装置３０の位置情報等とともに、当該サイネージ装置について登録された表示情報の属するジャンルを端末装置２０に通知する。なお、登録処理部１２は、指定された期間に表示させる表示情報が未定（表示情報の登録が行われていない）のサイネージ枠を有するサイネージ装置３０を含めて抽出し、端末装置２０に通知してもよい。但し、表示情報が未定のサイネージ枠に対応するサイネージ装置３０については、例えば、ユーザの料金負担で表示情報を表示させることを示す識別子を付加し、端末装置２０に通知する。端末装置２０では、例えば、当該識別子に基づいてサイネージ装置３０のサイネージ枠が有料であることを区別して、他の無償のサイネージ装置３０とともに表示される。
【００６６】
登録処理部１２は、端末装置２０に通知したサイネージ枠の中から絞り込まれた、ユーザの好みや目的に応じたサイネージ枠の購入予約を受け付ける。購入予約には、表示情報、当該表示情報を表示させるサイネージ装置３０が指定される。なお、表示情報が複数の構成パターンを含むときには、表示させる構成パターンを指定する情報が含まれる。また、登録処理部１２は、サイネージ枠の購入予約の際に受け付けた、表示情報とともに表示させたいメッセージ情報、表示情報を閲覧させる対象者を特定するための情報を受け付ける。そして、登録処理部１２は、端末装置２０を介して受け付けたサイネージ枠の購入予約に関する上記情報を、予約表示情報ＤＢ１９に格納する。
【００６７】
図５は、予約表示情報ＤＢ１９に格納される予約表示情報の一例である。ユーザの操作する端末装置２０から受け付けたサイネージ枠の購入予約に関する情報は、図５に例示のように、予約表示情報テーブルとして管理される。なお、予約表示情報テーブルに登録される情報は、適宜にフィールドの追加、変更、削除が可能である。
【００６８】
図５に例示の予約表示情報テーブルは、予約ＩＤ、装置ＩＤ、領域ＩＤ、設置位置、予約日時、表示情報番号、データ種別、構成パターン、広告データ、メッセージ情報、表示対象者、料金ステータス、完了ステータス、構成種別の各フィールドを有する。予約ＩＤフィールドには、ユーザから受け付けたサイネージ枠の購入予約を識別するための予約ＩＤが格納される。装置ＩＤフィールドには、サイネージ枠が購入されたサイネージ装置３０の識別情報が格納される。領域ＩＤフィールドには、サイネージ装置３０が設置された領域を識別する領域ＩＤが格納される。設置位置フィールドには、サイネージ装置３０が
設置された地点の位置情報（緯度、経度）が格納される。
【００６９】
予約日時フィールドには、予約された表示情報を表示する日時情報が時間帯とともに格納される。表示情報番号フィールドには、表示情報として表示される広告データを示す識別番号が格納される。データ種別フィールドには、表示情報として表示される広告コンテンツの種別が格納される。広告コンテンツの種別として、静止画、スライドショー、動画、ＡＲ、プロジェクションマッピング等が含まれる。構成パターンフィールドには、広告コンテンツの構成パターンを示す番号が格納される。広告データフィールドには、広告コンテンツの表示データが格納される。
【００７０】
メッセージ情報フィールドには、ユーザによって登録された、表示情報とともに表示させるメッセージが文字情報として格納される。なお、文字情報に替えて、他のテーブル等に格納された文字情報を識別する識別番号が格納されてもよい。また、表示させるメッセージが存在しない場合には、当該メッセージが存在しないことを示す情報（例えば、「---」や空欄等）が格納される。表示対象者フィールドには、ユーザによって指定された、
表示情報を閲覧させる対象者を特定するための情報が格納される。当該情報には、ユーザ、あるいは、ユーザの意図する対象者の備える端末装置２０の識別情報（電話番号やメールアドレス、ＭＡＣアドレス等）が含まれる。また、当該情報には、ユーザ、あるいは、ユーザの意図する対象者の運転する車両の自動車登録番号（ナンバープレートに標記された番号）等が含まれる。料金ステータスフィールドには、サイネージ枠の使用に関する料金のユーザ負担の区別が格納される。例えば、サイネージ枠の使用に関する料金負担がユーザである場合には「有料」、料金負担が広告主である場合には「無料」といったステータスが格納される。完了ステータスフィールドには、予約されたサイネージ枠への表示が完了したことを示すステータス情報が格納される。例えば、予約されたサイネージ枠への表示が完了していないときには「未完」、表示が完了したときには「完了」といったステータスが格納される。構成種別フィールドには、対象者を検知する構成の種別（カメラ、近距離無線等）が格納される。
【００７１】
図５の予約ＩＤ「Ｓ００２」では、領域ＩＤ「Ｄ００」に設置された装置ＩＤ「Ｄ００２」、「Ｄ００３」、「Ｄ００４」の３台のサイネージ装置３０のサイネージ枠が、表示対象者「ＡＡＡＡ」を対象に予約されている。各サイネージ装置の予約日は「２０１８／０３／２４」である。また、各サイネージ装置の料金ステータスは「無料」である。
【００７２】
装置ＩＤ「Ｄ００２」では、表示情報番号「Ｐ００２」の構成パターン「０１」で識別されるデータ種別「静止画」の広告データが、予約時間帯「１７：３０−１７：５０」に表示される。また、装置ＩＤ「Ｄ００３」では、表示情報番号「Ｐ００２」の構成パターン「０３」で識別されるデータ種別「スライドショー」の広告データが、予約時間帯「１７：４０−１８：００」に表示される。同様にして、装置ＩＤ「Ｄ００４」では、表示情報番号「Ｐ００２」の構成パターン「０４」で識別されるデータ種別「動画」の広告データが、「１７：５０−１８：１０」に表示される。なお、装置ＩＤ「Ｄ００４」は、表示情報とともにメッセージ情報「ａｂｃｄｅｆｇｈｉｊｋｌｍｎｏｐｑｒ」を表示させる。
【００７３】
図２で説明したように、Ａ地点からＢ地点に向かう道路沿いに、順に設置された装置ＩＤ「Ｄ００２」、「Ｄ００３」、「Ｄ００４」の各サイネージ装置は、指定された広告コンテンツを指定された時間帯で表示させる。表示対象者「ＡＡＡＡ」は、予約時間帯「１７：３０−１７：５０」で装置ＩＤ「Ｄ００２」の前を通過する際には、表示情報番号「Ｐ００２」の構成パターン「０１」で識別される「静止画」の広告データが視認できる。同様にして、予約時間帯「１７：４０−１８：００」で装置ＩＤ「Ｄ００３」の前を通過する際には、表示情報番号「Ｐ００２」の構成パターン「０３」で識別される「スライドショー」の広告データが視認できる。そして、予約時間帯「１７：５０−１８：１０」で
装置ＩＤ「Ｄ００４」の前を通過する際には、表示情報番号「Ｐ００２」の構成パターン「０４」で識別される「動画」の広告データが、メッセージ情報とともに視認できる。
【００７４】
図４に戻り、位置情報取得部１３は、端末装置２０から送信された位置情報を取得し、当該位置情報に時刻情報と端末装置２０の識別情報と対応付けて主記憶部１０２の所定の領域に一時的に記憶する。当該端末装置は、サイネージ枠の購入予約の際に、表示情報を閲覧させる対象者を特定するための情報として指定された端末装置２０である。当該端末装置２０は、例えば、ユーザあるいはユーザが意図する対象者の有する端末装置２０である。また、端末装置２０は、ユーザあるいはユーザが意図する対象者の運転する車両に搭載された車載機であってもよい。位置情報取得部１３は、取得した位置情報等を表示情報出力部１４に引き渡す。
【００７５】
表示情報出力部１４は、予約表示情報ＤＢ１９に格納された予約表示情報テーブルに基づいて、指定された表示情報を指定された期日および時間帯に、サイネージ枠が購入されたサイネージ装置３０に表示させる。表示情報出力部１４は、位置情報取得部１３から引き渡された位置情報に基づき、ユーザあるいはユーザの意図する対象者が視認可能なタイミングでサイネージ装置３０に表示情報やメッセージ情報を表示させる。表示情報出力部１４の詳細は、後述される。
【００７６】
（処理の流れ）
次に、図６から図８を参照して、第１実施形態に係る管理サーバ１０の処理を説明する。図６は、サイネージ枠の購入予約の登録処理の一例を示すフローチャートである。図６のフローチャートにおいて、処理の開始は、アプリを介した端末装置２０からのサイネージ枠の購入希望の受け付けのときが例示される。サイネージ枠の購入を希望するユーザは、例えば、サイネージ枠の期間（日時、時間帯）、および、サイネージ装置３０が設置された領域を指定する情報を管理サーバ１０に送信する。管理サーバ１０は、端末装置２０から送信された、購入を希望するサイネージ枠の期間（日時、時間帯）、サイネージ装置３０が設置された領域を指定する情報を取得する（Ｓ１）。管理サーバ１０は、取得した上記情報を主記憶部１０２の所定の領域に一時的に記憶し、Ｓ２の処理に移行する。
【００７７】
管理サーバ１０は、ユーザの指定するサイネージ枠の購入条件を満たすサイネージ装置３０を抽出する（Ｓ２）。管理サーバ１０は、例えば、広告情報ＤＢ１６を参照し、指定された領域に設置されたサイネージ装置３０を特定する。管理サーバ１０は、特定されたサイネージ装置３０の中から、指定された期間（日時、時間帯）に表示情報が登録されたサイネージ枠を有するサイネージ装置をさらに抽出する。そして、管理サーバ１０は、抽出されたサイネージ装置３０に関する情報を端末装置２０に通知する（Ｓ３）。管理サーバ１０は、例えば、サイネージ装置３０の位置情報（設置位置、装置ＩＤ）、表示情報（表示情報番号、データ種別、構成パターン）、表示情報の属するジャンルといった情報を端末装置２０に通知する。
【００７８】
なお、ユーザの指定する領域には、既に説明したように、指定された期間に表示させる表示情報が未定（広告主が存在しない）のサイネージ枠を有するサイネージ装置３０が含まれる。管理サーバ１０は、このようなサイネージ装置３０を含めて広告情報ＤＢ１６から抽出し、端末装置２０に通知してもよい。但し、上記表示情報が未定のサイネージ装置３０については、例えば、サイネージ枠が有料であることを区別する識別子を付加し、端末装置２０に通知すればよい。サイネージ枠が有料であるサイネージ装置３０が予約されたときには、ユーザの料金負担で表示情報を表示させることが可能になる。
【００７９】
端末装置２０は、管理サーバ１０から通知されたサイネージ装置３０に関する情報を表示する。端末装置２０は、例えば、アプリを介し、通知された各サイネージ装置の設置場
所を地図上に表示させるとともに、当該サイネージ装置に表示される表示情報、ジャンル等の一覧を表示させる。ユーザは、端末装置２０に表示された上記情報を閲覧し、自身の好みや目的に対応する表示情報、当該表示情報を表示させるサイネージ装置３０を絞り込み、購入対象になるサイネージ枠を決定する。また、端末装置のアプリの案内画面にしたがって、表示情報とともに表示させたいメッセージ情報、当該表示情報を閲覧する対象者を特定する情報が入力される。端末装置２０は、ユーザ操作にしたがって、上記のサイネージ枠の購入予約に関する情報（サイネージ装置３０および表示情報の指定、メッセージ情報、対象者を特定する情報）を管理サーバ１０に通知する。
【００８０】
なお、端末装置２０は、表示情報としてサイネージ枠に表示される広告コンテンツ、あるいは、広告コンテンツの一部のデータを表示させるとしてもよい。例えば、端末装置２０は、地図上に表示されたサイネージ装置３０に対するタップ操作といったユーザの選択操作を受け付け、当該サイネージ装置に表示される表示情報を抽出して表示する。そして、端末装置２０は、表示された表示情報の表示情報番号等へのユーザのタップ操作等の選択操作を受け付け、当該表示情報番号等に対応する広告データの送信依頼を管理サーバ１０に通知する。管理サーバ１０は、例えば、広告情報ＤＢ１６を参照し、送信依頼を受け付けた表示情報番号等に対応する広告コンテンツのデータを抽出し、端末装置２０に送信する。端末装置２０は、送信されたデータに基づいて、選択されたサイネージ装置３０に表示される静止画像、スライドショー、動画像等の広告コンテンツを表示させる。ユーザは、端末装置２０に表示された広告コンテンツを閲覧し、好みや目的に応じた表示情報を選択することが可能になる。
【００８１】
管理サーバ１０は、端末装置２０から通知されたサイネージ枠の購入予約に関する情報を取得する（Ｓ４）。ユーザの好みや目的に応じて選択されたサイネージ装置３０および表示情報を指定する情報、表示情報とともに表示させるメッセージ情報、サイネージ装置３０に表示された表示情報を閲覧する対象者を特定する情報が取得される。管理サーバ１０は、ユーザが指定した日時や時間帯のタイミングで表示情報をサイネージ装置３０に表示させることで、表示情報を閲覧する対象者に当該ユーザが見せたいとき（タイミング）に視認させることができる。管理サーバ１０は、取得した上記情報を主記憶部１０２の所定の領域に一時的に記憶し、Ｓ５の処理に移行する。
【００８２】
Ｓ５の処理では、管理サーバ１０は、サイネージ枠の購入予約に関する情報を予約表示情報ＤＢ１９に登録する。管理サーバ１０は、当該購入予約に対して予約ＩＤを付与し、当該予約ＩＤに対応するレコードを予約表示情報ＤＢ１９に登録する。ユーザによって指定されたサイネージ装置３０の装置ＩＤが装置ＩＤフィールドに格納される。同様にして、指定されたサイネージ枠の期間（日時、時間帯）が予約日時フィールド、表示情報を識別する情報が、表示示情報番号フィールド、データ種別フィールド、構成パターンフィールドのそれぞれに格納される。表示情報に対応する広告コンテンツの表示データは、広告データフィールドに格納される。
【００８３】
また、表示情報とともに表示させるメッセージ情報は、メッセージ情報フィールドに格納され、表示情報を閲覧する対象者を特定する情報は、表示対象者フィールドに格納される。指定されたサイネージ装置３０が、ユーザの料金負担で表示情報を表示させるときには、料金ステータスフィールドに有料を示す情報が格納される。
【００８４】
管理サーバ１０は、予約表示情報ＤＢ１９への購入予約に関する情報の登録後、登録完了の通知を端末装置２０に通知する（Ｓ６）。登録完了の通知には、予約ＩＤおよび予約表示情報ＤＢ１９に登録された各種情報が通知される。Ｓ６の処理後、図６の処理が終了される。
【００８５】
なお、Ｓ６の処理において、管理サーバ１０は、有料のサイネージ装置３０が選定されたときには、例えば、予め定められた負担料金、および、当該負担料金を振り込むための口座情報を端末装置２０に通知する。そして、管理サーバ１０は、口座情報で指定された振込口座に対して、所定の金額（負担料金）が振り込まれたことの確認を条件として登録完了の通知を行ってもよい。
【００８６】
以上の処理により、管理サーバ１０は、端末装置２０を介して、ユーザの好みや目的に応じて購入予約されたサイネージ枠に関する情報を取得できる。購入予約されたサイネージ枠で表示される表示情報には、広告主の費用負担で提供される無償の広告コンテンツを含むことができる。また、管理サーバ１０は、表示情報とともに購入予約されたサイネージ枠で表示されるメッセージ情報、および、表示情報を閲覧する対象者を特定する情報（ユーザまたは対象者の有する端末装置を識別する識別情報、自動車登録番号等）を取得できる。取得された上記情報は、購入予約を識別する予約ＩＤに関連付けて所定のデータベース（予約表示情報ＤＢ１９）に登録できる。
【００８７】
管理サーバ１０は、サイネージ枠の購入予約後に、データベースに登録された予約ＩＤで指定されたサイネージ枠の情報に基づいて、ユーザの好みや目的に応じた表示情報を、ユーザの指定する日時および時間帯にサイネージ装置３０に表示できる。管理サーバ１０は、ユーザが指定した日時や時間帯のタイミングで表示情報をサイネージ装置３０に表示させることで、表示情報を閲覧する対象者に当該ユーザが見せたいとき（タイミング）に視認させることができる。なお、管理サーバ１０は、上記ユーザが指定した日時や時間帯において、アプリが実行された端末装置２０からの、表示情報に対する表示要求の受け付けを契機として表示情報を出力してもよい。管理サーバ１０は、端末装置２０を操作するユーザの指定したタイミングで、当該表示情報をサイネージ装置３０に出力できる。
【００８８】
次に、図７から図８の処理を説明する。図７から図８は、購入予約された表示情報およびメッセージ情報の表示処理の一例を示すフローチャートである。図７から図８の処理は、予約表示情報ＤＢ１９の完了ステータスフィールドに「未完」ステータスが格納された予約ＩＤ毎に定期的に実行される。図７から図８の処理により、購入予約されたサイネージ枠に表示する表示情報やメッセージ情報が、ユーザまたは対象者の視認可能なタイミングで表示される。なお、図７から図８の処理は、ユーザまたは対象者が所有する端末装置２０の位置情報に基づいて表示情報をサイネージ装置３０に表示させる処理の一例である。
【００８９】
図７のフローチャートにおいて、管理サーバ１０は、予約表示情報ＤＢ１９を参照し、予約ＩＤで登録されたサイネージ枠のレコードを抽出する（Ｓ１１）。抽出されたレコードは、主記憶部１０２の所定の領域に一時的に記憶される。管理サーバ１０は、抽出された予約ＩＤのレコードからサイネージ枠の予約日時情報を取得する（Ｓ１２）。予約日時情報は、予約日時フィールドに格納される。
【００９０】
管理サーバ１０は、現在時刻が予約日時情報に指定された予約時間帯の開始時刻に到達しているかを判断する（Ｓ１３）。管理サーバ１０は、現在時刻が予約時間帯の開始時刻に到達している場合には（Ｓ１３、“Ｙｅｓ”）、Ｓ１４の処理に移行する。一方、管理サーバ１０は、現在時刻が予約時間帯の開始時刻に到達していない場合には（Ｓ１３、“Ｎｏ”）、図７から図８の処理を終了する。
【００９１】
なお、Ｓ１３の処理においては、管理サーバ１０は、予約時間帯の開始時刻に対するマージンを予め持たせてもよい。開始時刻に対するマージンは、例えば、分単位の単位時間で持たせることができる。例えば、５分のマージンを持たせたときには、開始時刻の５分前の時刻が、処理対象の開始時刻になる。このようなマージンを持たせることにより、サ
イネージ装置３０が設置された箇所の道路環境や視認環境を考慮に入れた広告コンテンツの表示が可能になる。
【００９２】
Ｓ１４の処理では、管理サーバ１０は、表示対象者フィールドに格納された表示対象者を特定する端末装置２０の登録情報を取得する。登録情報では、ユーザ、あるいは、ユーザの意図する対象者の所有する端末装置２０の識別情報（電話番号やメールアドレス、ＭＡＣアドレス等）が特定される。管理サーバ１０は、端末装置２０の識別情報に基づいて、当該端末装置で検出された現時点の位置情報を取得する（Ｓ１５）。
【００９３】
管理サーバ１０は、例えば、端末装置２０に対し、通信部１０４を通じて位置情報（緯度、経度）の送信要求を通知する。端末装置２０は、管理サーバ１０からの位置情報の送信要求に応じて、位置情報検出部２０７で検出された自装置の位置情報を取得し、管理サーバ１０に送信する。端末装置２０の位置情報は、一定の周期間隔で管理サーバ１０に送信される。管理サーバ１０に送信された端末装置２０の位置情報は、位置情報取得部１３を介して取得される。
【００９４】
管理サーバ１０は、現時点の端末装置２０の位置がサイネージ枠の表示対象になるサイネージ装置３０の設置位置から所定範囲内であることを判断する（Ｓ１６）。ここで、所定範囲は、当該サイネージ装置の設置環境に基づいて予め設定される。所定範囲は、例えば、サイネージ装置３０の設置位置を中心として、半径５０ｍといった単位距離で設定される。
【００９５】
管理サーバ１０は、端末装置２０の位置がサイネージ装置３０の設置位置に対して所定範囲内である場合には（Ｓ１６，“Ｙｅｓ”）、図８のＳ１７の処理に移行する。一方、端末装置２０の位置がサイネージ装置３０の設置位置に対して所定範囲内でない場合には（Ｓ１６，“Ｎｏ”）、Ｓ１５の処理に移行する。なお、Ｓ１６の否定判定（Ｓ１６，“Ｎｏ”）において、管理サーバ１０は、現在の時刻が予約時間帯の終了時刻以降であることを判断し、図７から図８の処理を終了させてもよい。
【００９６】
図８のフローチャートにおいて、管理サーバ１０は、表示情報とともにサイネージ装置３０に表示させるメッセージ情報が登録されているか否かを判断する（Ｓ１７）。管理サーバ１０は、メッセージ情報フィールドに表示させるメッセージが存在しないことを示す情報（「---」や空欄等）が格納されている場合には（Ｓ１７，“Ｎｏ”）、Ｓ１９の処
理に移行する。一方、管理サーバ１０は、メッセージ情報フィールドに文字情報あるいは文字情報を特定するための識別番号が格納されている場合には（Ｓ１７，“Ｙｅｓ”）、Ｓ１８の処理に移行する。
【００９７】
Ｓ１８の処理では、管理サーバ１０は、表示情報とともにサイネージ装置３０に表示させるメッセージ情報を取得する。例えば、メッセージ情報フィールドに格納された文字情報、あるいは、識別番号に基づいて特定された文字情報をメッセージ情報として取得する。取得されたメッセージ情報は、Ｓ１Ａの処理に引き渡される。
【００９８】
Ｓ１９の処理では、管理サーバ１０は、表示情報としてサイネージ枠に表示させる広告データを取得する。管理サーバ１０は、広告データフィールドに格納された広告コンテンツの表示データを取得する。取得された広告データは、Ｓ１Ａの処理に引き渡される。
【００９９】
Ｓ１Ａの処理では、管理サーバ１０は、サイネージ枠に表示させる情報をサイネージ装置３０に出力する。Ｓ１８の処理から引き渡されたメッセージ情報、Ｓ１９の処理から引き渡された広告データ（広告コンテンツの表示データ）がサイネージ装置３０に出力される。そして、管理サーバ１０は、処理対象のサイネージ装置３０について、サイネージ枠
の表示完了を記録する（Ｓ１Ｂ）。管理サーバ１０は、例えば、予約表示情報ＤＢ１９を参照し、当該サイネージ装置の完了ステータスフィールドに、「完了」等のステータス情報を記録する。Ｓ１Ｂの処理後、図７から図８に示す処理は終了される。
【０１００】
サイネージ装置３０は、管理サーバ１０から出力されたサイネージ枠に表示させる情報を表示部３０４に表示させる。サイネージ装置３０の設置位置に対して所定の範囲内に位置する端末装置２０のユーザ、あるいは、ユーザの意図する対象者は、表示部３０４に表示された表示情報を閲覧することが可能になる。例えば、端末装置２０のユーザ、あるいは、ユーザの意図する対象者は、サイネージ装置３０の前を通過するタイミングで、表示部３０４に表示された広告コンテンツや広告コンテンツとともに表示されるメッセージ情報を視認することが可能になる。
【０１０１】
なお、図７から図８の処理において、管理サーバ１０は、Ｓ１３の肯定判定（Ｓ１３，“Ｙｅｓ”）のタイミングでＳ１７からＳ１Ａの処理を実行し、サイネージ枠に表示させる情報を該当するサイネージ装置３０に出力してもよい。そして、Ｓ１Ａの処理後に、Ｓ１４からＳ１６の処理を実行し、Ｓ１６の肯定判定（Ｓ１６，“Ｙｅｓ”）のタイミングで、サイネージ装置３０宛に出力した情報（広告データ、メッセージ情報）を表示させるように指示を行ってもよい。サイネージ装置３０は、管理サーバ１０から通知された指示のタイミングで、サイネージ枠に表示させる情報を表示部３０４に表示できる。
【０１０２】
以上の処理により、管理サーバ１０は、購入予約されたサイネージ枠で表示される情報（表示情報、メッセージ情報）を、予約指定された期日、時間帯に応じてサイネージ装置３０に出力できる。第１実施形態係るサイネージシステム１によれば、ユーザの好みや目的に応じた表示情報やメッセージ情報を、ユーザの意図する時間帯でサイネージ装置３０に表示させることができる。ユーザあるいはユーザの意図する対象者は、サイネージ装置３０の表示部３０４に表示された表示情報やメッセージ情報を、ユーザの希望する時間帯で閲覧することが可能になる。
【０１０３】
また、管理サーバ１０は、サイネージ枠に表示される表示情報やメッセージ情報を閲覧する対象者の端末装置２０から送信される位置情報に基づいて、当該対象者がサイネージ装置３０の所定範囲内に位置することを特定できる。そして、管理サーバ１０は、所定範囲内に位置する対象者を特定したタイミングで、サイネージ枠に表示される表示情報やメッセージ情報をサイネージ装置３０に表示させることができる。
【０１０４】
第１実施形態係るサイネージシステム１は、サイネージ装置３０に表示された情報を視認可能とする所定範囲内に位置する対象者を検知し、ユーザの好みや目的に応じた表示情報やメッセージ情報を当該サイネージ装置に表示させることができる。第１実施形態によれば、見せたいコンテンツ（表示情報やメッセージ情報）を、見せたい人（ユーザの意図する対象者）が視認可能なタイミングでサイネージ装置３０に表示できる。
【０１０５】
（変形例１）
変形例１の管理サーバ１０は、サイネージ装置３０の備えるカメラ３０６で撮影された映像に基づいて対象者を検知する形態である。変形例１では、例えば、予約表示情報テーブルの表示対象者フィールドに登録された自動車登録番号が検知される。
【０１０６】
図９に、変形例１の管理サーバ１０の機能構成を例示する。変形例１の管理サーバ１０は、機能構成として画像情報取得部１Ａを備える。なお、画像情報取得部１Ａを除く他の構成は、図４の機能構成と同様である。また、管理サーバ１０、端末装置２０、サイネージ装置３０のハードウェア構成は図２と同様である。以下、変形例１が第１実施形態と相違する点を主に説明する。
【０１０７】
図９の画像情報取得部１Ａは、サイネージ装置３０から送信された映像（画像情報）を取得し、当該画像情報に時刻情報とサイネージ装置３０の識別情報（装置ＩＤ）とを対応付けて、主記憶部１０２の所定の領域に一時的に記憶する。画像情報取得部１Ａは、取得した画像情報等を表示情報出力部１４に引き渡す。表示情報出力部１４は、例えば、画像情報に基づいて、対象者の運転する車両の自動車登録番号を検知し、当該検知のタイミングでサイネージ枠に表示される表示情報やメッセージ情報をサイネージ装置３０に表示させる。
【０１０８】
図１０に、変形例１の表示処理を説明するフローチャートを例示する。図１０では、図７に示すフローチャートのＳ１４からＳ１６の処理に替えて、Ｓ２１からＳ２３の処理が実行される。Ｓ２１からＳ２３の処理により、画像情報に基づいて自動車登録番号を検知する処理が実行される。
【０１０９】
図１０のフローチャートにおいて、Ｓ１３の肯定判定（Ｓ１３，“Ｙｅｓ”）後、管理サーバ１０は、表示対象者フィールドに格納された表示対象者を特定するために登録された車両の自動車登録番号を取得する（Ｓ２１）。当該車両には、対象者やユーザが乗車する。管理サーバ１０は、装置ＩＤで指定されるサイネージ装置３０に対し、通信部１０４を通じて画像情報の送信要求を通知する。サイネージ装置３０は、画像情報の送信要求を契機として、カメラ３０６を動作させて当該サイネージ装置の前方領域の撮影を開始する。サイネージ装置３０は、カメラ３０６を介して撮影された映像（画像情報）を取得し、当該映像を一定の周期間隔で管理サーバ１０に送信する。管理サーバ１０は、画像情報取得部１Ａを介して、サイネージ装置３０から送信された前方領域の映像を取得する（Ｓ２２）。
【０１１０】
Ｓ２３の処理では、自動車登録番号に対応する車両を特定したかが判断される。管理サーバ１０は、例えば、所定のフレーム周期で撮影したフレーム画像から、パターンマッチング等により、サイネージ装置３０の前方領域を通過する車両を特定し、当該車両のナンバープレートに表記された自動車登録番号の読み取りを行う。そして、管理サーバ１０は、予約ＩＤで登録された自動車登録番号と、画像情報から読み取られた自動車登録番号とを照合する。
【０１１１】
照合の結果、管理サーバ１０は、自動車登録番号に対応する車両を特定した場合には（Ｓ２３，“Ｙｅｓ”）、図８のＳ１７の処理に移行する。一方、管理サーバ１０は、自動車登録番号に対応する車両を特定しない場合には（Ｓ２３，“Ｎｏ”）、Ｓ２２の処理に移行する。管理サーバ１０は、次の周期間隔でサイネージ装置３０から送信された映像を対象として、登録された自動車登録番号と画像情報から読み取られた自動車登録番号との照合を行い、車両が特定される。なお、Ｓ２３の否定判定（Ｓ２３，“Ｎｏ”）においても、Ｓ１６の処理と同様に、現在の時刻が予約時間帯の終了時刻以降であることを判断し、変形例１の表示処理を終了させてもよい。
【０１１２】
以上の処理により、変形例１の管理サーバ１０は、サイネージ装置３０の備えるカメラ３０６で撮影された映像に基づいて、予約表示情報テーブルの表示対象者フィールドに登録された自動車登録番号が検知できる。そして、変形例１の管理サーバ１０は、検知された車両が、サイネージ装置３０の前方領域を通過するタイミングで、表示情報やメッセージ情報をサイネージ装置３０に表示させることができる。
【０１１３】
（変形例２）
変形例２の管理サーバ１０は、サイネージ装置３０が備える通信部３０５Ｂと、端末装置２０が備える通信部２０６Ｂとの間の近距離無線通信に基づいて対象者を検知する形態
である。変形例２では、例えば、予約表示情報テーブルの表示対象者フィールドに登録された端末装置２０がサイネージ装置３０との近距離無線通信を介して検知される。なお、変形例２の管理サーバ１０の機能構成は図４と同様である。また、管理サーバ１０、端末装置２０、サイネージ装置３０のハードウェア構成は図２と同様である。以下、変形例２が第１実施形態と相違する点を主に説明する。
【０１１４】
図１１に、変形例２の表示処理を説明するフローチャートを例示する。図１１では、図７に示すフローチャートのＳ１４からＳ１６の処理に替えて、Ｓ３１からＳ３３の処理が実行される。Ｓ３１からＳ３３の処理により、サイネージ装置３０と端末装置２０との間の近距離無線通信に基づく、当該端末装置の検知処理が実行される。
【０１１５】
図１０のフローチャートにおいて、Ｓ１３の肯定判定（Ｓ１３，“Ｙｅｓ”）後、表示対象者フィールドに格納された表示対象者を特定する端末装置２０の登録情報を取得する（Ｓ３１）。登録情報では、例えば、ユーザ、あるいは、ユーザの意図する対象者の所有する端末装置２０のＭＡＣアドレスが特定される。管理サーバ１０は、装置ＩＤで指定されるサイネージ装置３０に対し、通信部１０４を通じて検知対象になる端末装置２０のＭＡＣアドレスを通知する（Ｓ３２）。
【０１１６】
サイネージ装置３０は、例えば、ＭＡＣアドレスの通知を契機として、当該ＭＡＣアドレスに対応する端末装置２０宛の応答要求を、一定の周期間隔で通信部３０５Ｂを通じて送信する。応答要求には、当該サイネージ装置３０を識別する識別情報（装置ＩＤ、ＭＡＣアドレス等）が含まれる。サイネージ装置３０との間で近距離無線通信が可能な範囲に端末装置２０が存在する場合には、当該近距離無線通信を介してサイネージ装置３０宛の応答が返信される。サイネージ装置３０は、応答要求に対する端末装置２０からの応答の受信を契機として、当該応答の検知を示す情報を管理サーバ１０に通知する。応答の検知を示す情報には、応答を受信した時刻情報およびサイネージ装置３０の装置ＩＤが含まれる。
【０１１７】
Ｓ３３の処理では、管理サーバ１０は、サイネージ装置３０が端末装置２０を検知したかを判断する。管理サーバ１０は、応答の検知を示す情報がサイネージ装置３０から通知された場合には（Ｓ３３，“Ｙｅｓ”）、図８のＳ１７の処理に移行する。一方、管理サーバ１０は、応答の検知を示す情報がサイネージ装置３０から通知されない場合には（Ｓ３３，“Ｎｏ”）、Ｓ３３の処理を繰り返す。なお、Ｓ３３の否定判定（Ｓ３３，“Ｎｏ”）においても、Ｓ１６の処理と同様に、現在の時刻が予約時間帯の終了時刻以降であることを判断し、変形例２の表示処理を終了させてもよい。
【０１１８】
以上の処理により、変形例２の管理サーバ１０は、サイネージ装置３０と端末装置２０との間の近距離無線通信に基づいて、サイネージ装置３０の設置位置に対して近距離無線通信が可能な範囲に存在する端末装置２０が検知できる。そして、変形例２の管理サーバ１０は、端末装置２０が検知されたタイミングで、表示情報やメッセージ情報をサイネージ装置３０に表示させることができる。
【０１１９】
＜第２実施形態＞
第２実施形態は、容姿やファッションといった特定の条件を満たす対象者を検知し、当該条件に関連付けされた表示情報を、検知のタイミングでサイネージ装置３０に表示させる形態である。
【０１２０】
図１２に、第２実施形態に係るサイネージシステム１の構成を例示する。第２実施形態に係るサイネージシステム１は、端末装置２０を含まない点で図１に示す第１実施形態に係るサイネージシステム１と相違し、各構成装置については第１実施形態と同様である。
【０１２１】
また、第２実施形態に係る管理サーバ１０およびスポンササーバ４０のハードウェア構成は、図３に示す第１実施形態の構成と同様である。そして、第２実施形態に係るサイネージ装置３０は、図３において、通信部３０５Ｂを設けないようにしてもよい。
【０１２２】
第２実施形態では、例えば、スポンササーバ４０を通じて、広告主がサイネージ枠に表示させる表示情報を指定するとともに、当該表示情報を閲覧させたい対象者の容姿やファッションといった特定の条件を指定するものとする。管理サーバ１０は、スポンササーバ４０を介して受け付けた条件付きの表示情報を広告情報ＤＢ１Ｂに格納する。広告情報ＤＢ１Ｂでは、表示情報を閲覧させたい対象者の容姿やファッションといった特定の条件が当該表示情報とともに管理される。
【０１２３】
管理サーバ１０は、例えば、サイネージ装置３０の備えるカメラ３０６を介して撮影された前方領域の映像に基づいて、広告主が指定する表示情報を閲覧させたい特定の条件を満たす対象者を検知する。そして、管理サーバ１０は、検知のタイミングで、当該条件に関連付けされた表示情報をサイネージ装置３０に表示させる。第２実施形態においても、サイネージ装置３０を通じて、見せたい人（広告主の指定する条件を満たす対象者）に、コンテンツ（表示情報）を指定し、見せたいタイミング（日時、時間帯）で見せることができる。
【０１２４】
図１３に、第２実施形態に係る管理サーバ１０の機能構成を例示する。第２実施形態に係る管理サーバ１０は、機能構成要素として、受付部１１と、表示情報出力部１４と、画像情報取得部１Ａと、サイネージ装置ＤＢ１５と、広告情報ＤＢ１６と、広告情報ＤＢ１Ｂと、地図情報ＤＢ１８とを含む。受付部１１、表示情報出力部１４、サイネージ装置ＤＢ１５、地図情報ＤＢ１８のそれぞれは、第１実施形態と同様であるため説明が省略される。但し、受付部１１は、閲覧させたい対象者の容姿やファッション等の条件を広告主が指定する表示情報を広告情報ＤＢ１Ｂに格納する。また、画像情報取得部１Ａは、第１実施形態の変形例１の画像情報取得部１Ａと同様であるため説明が省略される。
【０１２５】
図１４は、広告情報ＤＢ１Ｂに格納される広告情報の一例である。表示情報を閲覧させたい対象者の特定の条件が指定された表示情報は、図１４に例示のように、広告情報テーブルとして管理される。広告情報テーブルに登録される情報は、適宜にフィールドの追加、変更、削除が可能である。
【０１２６】
図１４に例示の広告情報テーブルは、広告主ＩＤ、領域ＩＤ、装置ＩＤ、設置位置、表示情報番号、構成パターン、広告データ、表示期間、時間帯、ジャンル、表示対象者、データ種別の各フィールドを有する。広告主ＩＤフィールドには、広告主を識別する広告主ＩＤが格納される。広告主ＩＤとして、広告主の事業者コードが例示される。領域ＩＤ、装置ＩＤ、設置位置、表示情報番号、構成パターン、広告データ、ジャンル、データ種別については、図５の予約表示情報テーブルと同様であるため、説明が省略される。
【０１２７】
表示期間フィールドには、表示情報を表示する期間の指定が格納される。図１４においては、「２０１８／０４／０１」から「２０１８／０４／２８」までの期間が例示されている。時間帯フィールドには、表示情報を表示させる時間帯の指定が格納される。図１４において、装置ＩＤ「Ｄ００Ａ」では、時間帯「１１：００−１４：００」が指定されている。表示対象者フィールドには、スポンササーバ４０を通じて受け付けた、表示情報を閲覧させる対象者を特定するための条件が格納される。表示対象者フィールドは、指定された条件数に応じたサブフィールドを有する。図１４では、条件１から条件３のサブフィールドが例示される。
【０１２８】
なお、条件１では、装置ＩＤ「Ｄ００Ａ」と「Ｄ００Ｂ」と「Ｄ００Ｃ」に対して、容姿の特徴である、「１７０ｃｍ以上」の身長が指定されている。また、同様にして、条件２では、表示対象者の条件として「女性」が指定されている。条件３では、装置ＩＤ「Ｄ００Ｂ」に対して、「スーツ」といったファッションが指定されている。
【０１２９】
例えば、装置ＩＤ「Ｄ００Ａ」は、対象者として「１７０ｃｍ以上」の身長を有する「女性」の検知を条件に、指定された時間帯「１１：００−１４：００」で表示情報を表示させる。装置ＩＤ「Ｄ００Ａ」に表示させる表示情報は、表示番号「Ｐ００Ａ」、構成パターン「０１」で指定されるデータ種別「スライドショー」の広告コンテンツである。同様にして、装置ＩＤ「Ｄ００Ｂ」は、対象者として「１７０ｃｍ以上」の身長を有する「スーツ」を着用した「女性」の検知を条件に、指定された時間帯「１４：００−１６：００」で表示情報を表示させる。装置ＩＤ「Ｄ００Ｂ」に表示させる表示情報は、表示番号「Ｐ００Ａ」、構成パターン「０１」で指定されるデータ種別「スライドショー」の広告コンテンツである。また、装置ＩＤ「Ｄ００Ｃ」は、対象者として「１７０ｃｍ以上」の身長を有する「女性」の検知を条件に、指定された時間帯「１１：３０−１３：３０」で表示情報を表示させる。装置ＩＤ「Ｄ００Ｃ」に表示させる表示情報は、表示番号「Ｐ００Ａ」、構成パターン「０６」で指定されるデータ種別「動画」の広告コンテンツである。
【０１３０】
（処理の流れ）
次に、図１５を参照して、第２実施形態に係る管理サーバ１０の処理を説明する。図１５は、第２実施形態に係る表示情報の表示処理の一例を示すフローチャートである。図１５の処理は、広告情報ＤＢ１Ｂに登録された装置ＩＤ毎に定期的に実行される。
【０１３１】
図１５のフローチャートにおいて、管理サーバ１０は、広告情報ＤＢ１Ｂを参照し、処理対象の装置ＩＤに対応するレコードを抽出する（Ｓ４１）。抽出されたレコードは、主記憶部１０２の所定の領域に一時的に記憶される。管理サーバ１０は、抽出された装置ＩＤのレコードからサイネージ枠の表示期間、時間帯の各情報を取得する（Ｓ４２）。
【０１３２】
管理サーバ１０は、現在の日付が表示期間であるかを判断する（Ｓ４３）。管理サーバ１０は、現在の日付が表示期間の場合には（Ｓ４３、“Ｙｅｓ”）、Ｓ４４の処理に移行する。一方、管理サーバ１０は、現在の日付が表示期間でない場合には（Ｓ４３、“Ｎｏ”）、図１５の処理を終了する。
【０１３３】
Ｓ４４の処理では、管理サーバ１０は、現在の時刻が表示時間帯であるかを判断する。管理サーバ１０は、現在の時刻が表示時間帯の場合には（Ｓ４４、“Ｙｅｓ”）、Ｓ４５の処理に移行する。一方、管理サーバ１０は、現在の時刻が表示時間帯でない場合には（Ｓ４４、“Ｎｏ”）、図１５の処理を終了する。
【０１３４】
管理サーバ１０は、抽出された装置ＩＤのレコードから表示対象者の条件を取得する（Ｓ４５）。例えば、図１４の広告情報テーブルにおいて、装置ＩＤ「Ｄ００Ａ」では、条件１サブフィールドに格納された「１７０ｃｍ以上」、条件２サブフィールドに格納された「女性」が取得される。管理サーバ１０は、取得した条件を装置ＩＤに関連付けて主記憶部１０２の所定の領域に一時的に記憶し、Ｓ４６の処理に移行する。
【０１３５】
Ｓ４６の処理では、管理サーバ１０は、装置ＩＤに対応するサイネージ装置３０から一定の周期間隔で送信された画像情報を取得する。例えば、サイネージ装置３０の備えるカメラ３０６を介して撮影された前方領域の映像が画像情報として取得される。装置ＩＤに対応するサイネージ装置３０から取得された画像情報は、時刻情報とともに主記憶部１０２の所定の領域に一時的に記憶される。
【０１３６】
Ｓ４７の処理では、指定された条件に該当する表示対象者を特定したかが判断される。管理サーバ１０は、例えば、所定のフレーム周期で撮影したフレーム画像に対するパターンマッチング等により、指定された条件に該当する対象者を特定する。例えば、装置ＩＤ「Ｄ００Ａ」では、画像情報に基づいて、当該サイネージ装置の前方領域を通過する、条件１「１７０ｃｍ以上」および条件２「女性」に該当する表示対象者が特定される。
【０１３７】
管理サーバ１０は、指定された条件に該当する表示対象者を特定した場合には（Ｓ４７，“Ｙｅｓ”）、Ｓ４８の処理に移行する。一方、管理サーバ１０は、指定された条件に該当する表示対象者を特定しない場合には（Ｓ４７，“Ｎｏ”）、Ｓ４Ａの処理に移行する。
【０１３８】
Ｓ４８の処理では、管理サーバ１０は、抽出された装置ＩＤのレコードから広告データを取得する。そして管理サーバ１０は、取得した広告データをサイネージ枠に表示させる表示情報としてサイネージ装置３０に出力する（Ｓ４９）。装置ＩＤに対応するサイネージ装置３０は、管理サーバ１０から出力された表示情報（広告コンテンツの表示データ）を表示部３０４に表示させる。
【０１３９】
Ｓ４Ａの処理では、再び、現在の時刻が表示時間帯であるかが判断される。管理サーバ１０は、現在の時刻が表示時間帯の場合には（Ｓ４Ａ、“Ｙｅｓ”）、Ｓ４６の処理に移行する。表示時間帯においては、一定の周期間隔で、Ｓ４６からＳ４Ａの処理が繰り返される。一方、管理サーバ１０は、現在の時刻が表示時間帯でない場合には（Ｓ４Ａ、“Ｎｏ”）、図１５の処理を終了する。
【０１４０】
以上の処理により、第２実施形態の管理サーバ１０は、サイネージ装置３０の備えるカメラ３０６で撮影された映像（画像情報）に基づいて、容姿やファッション等の特定の条件に該当する対象者を検知できる。管理サーバ１０は、例えば、サイネージ装置３０の前方領域を通過する当該対象者を特定できる。そして、管理サーバ１０は、当該対象者の検知のタイミングで、特定の条件に関連付けされた表示情報（広告コンテンツの表示データ）をサイネージ装置３０に表示させることができる。
【０１４１】
（変形例１）
第２実施形態においては、広告主が表示情報を閲覧させたい対象者の容姿やファッションといった特定の条件を指定するものとして説明した。このような条件の指定は、広告主以外のユーザであっても可能である。例えば、サイネージ装置３０が設置される領域の地域活性化アドバイザーや、広告アドバイザー等による条件の指定である。
【０１４２】
変形例１の形態では、例えば、第１実施形態で説明したように、広告主から依頼されたサイネージ枠を上記広告主以外のユーザ（地域活性化アドバイザー、広告アドバイザー等）が購入する。購入したユーザは、自身の所有する端末装置２０を介して、サイネージ枠の購入予約を登録する。そして、変形例１のユーザは、購入したサイネージ枠に対して、表示情報を閲覧させたい対象者の容姿やファッションといった特定の条件を指定する。変形例１の形態は、上記の条件が指定されることで第１実施形態とは相違し、当該条件を、サイネージ枠を購入したユーザが指定することで第２実施形態と相違する。
【０１４３】
例えば、サイネージ枠を購入した地域活性化アドバイザーは、サイネージ装置３０が設置される領域に生活する住民の活性化を目的として、表示情報を選別し、当該選別された表示情報を閲覧させたい対象者の条件を指定する。例えば、地域住民の年齢構成や性別構成、職業構成等に応じて表示情報が選別される。地域住民は、例えば、サイネージ装置３０に表示された表示情報を、相互のコミュニケーションの切っ掛けにすることができ、活
性化を図ることが可能になる。
【０１４４】
また、サイネージ枠を購入した広告アドバイザーは、例えば、広告主との直接的なアドバイザー契約を目的として、表示情報を選別し、当該選別された表示情報を閲覧させたい対象者の条件を指定する。例えば、自身のアレンジでサイネージ装置３０の設置位置を選別し、広告コンテンツの表示種別や構成パターンを選別する。そして、宣伝された対象商品等の売り上げの向上を自身のアドバイザー実績として、広告主に売り込むことが可能になる。
【０１４５】
＜第３実施形態＞
第３実施形態は、第１実施形態において、表示情報を閲覧したユーザの端末装置２０を通じて視認情報を取得して視認情報の履歴を蓄積し、ユーザの視認回数が一定回数に到達したときに、専用の表示情報とともにメッセージ情報を表示させる形態である。ここで、視認情報とは、サイネージ装置３０に表示された表示情報を閲覧（視認）したことを示す情報である。視認情報は、端末装置２０の通信部２０６Ｂと、サイネージ装置３０の通信部３０５Ｂとの間の近距離無線通信を介して取得される。端末装置２０は、アプリの実行を介して視認情報をサイネージ装置３０に通知する。
【０１４６】
図１６に、第３実施形態に係る管理サーバ１０の機能構成を例示する。図１６においては、視認情報取得部１Ｃと、予約表示情報ＤＢ１Ｄと、視認履歴ＤＢ１Ｅを備えることで第１実施形態と相違する。以下、相違点を主に説明する
【０１４７】
視認情報取得部１Ｃは、サイネージ装置３０から送信された視認情報を取得する。視認情報には、サイネージ装置３０の装置ＩＤ、端末装置２０の識別情報（ＭＡＣアドレス等）、サイネージ装置３０が視認情報を受け付けた時刻情報が対応付けられている。視認情報取得部１Ｃは、取得した視認情報を視認履歴ＤＢ１Ｅに蓄積する。視認履歴ＤＢ１Ｅは、例えば、装置ＩＤ毎の視認情報履歴テーブルを備える。視認情報取得部１Ｃは、該当する装置ＩＤの視認情報履歴テーブルに、端末装置２０の識別情報（ＭＡＣアドレス等）、視認情報を受け付けた時刻情報を記録する。
【０１４８】
図１７は、予約表示情報ＤＢ１Ｄに格納される予約表示情報の一例である。図１７に例示の予約表示情報テーブルは、表示条件フィールドを備えることで第１実施形態と相違する。表示条件フィールドには、視認回数が一定回数に到達したときに、専用の表示情報を表示させるための視認回数条件が格納される。なお、表示条件が存在しない場合には、当該表示条件が存在しないことを示す情報（例えば、「---」や空欄等）が格納される。図
１７においては、装置ＩＤ「Ｄ００５」の、表示情報番号「Ｐ００２」の構成パターン「０４」で特定される、データ種別「動画」の広告コンテンツに対して表示条件が格納されている。図１７では、装置ＩＤ「Ｄ００２」、「Ｄ００３」、「Ｄ００４」に表示された表示情報を総計で「１０回」視認する条件が格納されている。
【０１４９】
管理サーバ１０は、表示情報番号「Ｐ００２」の構成パターン「０１」で特定される、データ種別「静止画」の広告コンテンツの視認回数が１０回に到達したときに、装置ＩＤ「Ｄ００５」に、メッセージ情報を伴う専用の表示情報を表示させる。ここで、専用の表示情報は、装置ＩＤ「Ｄ００５」の、表示情報番号「Ｐ００２」の構成パターン「０４」で特定される、データ種別「動画」の広告コンテンツである。例えば、「静止画」で表示されたゲームのキャラクター達の、敵になるボスキャラクターに対して戦闘を挑むシーンが動画コンテンツとして装置ＩＤ「Ｄ００５」に表示される。
【０１５０】
例えば、車両に同乗する子供は、母親から渡された端末装置２０を操作し、該当するサイネージ装置３０に表示された、「静止画」の広告コンテンツに対する視認情報を通知す
る。端末装置２０は、表示対象者「ＡＡＡＡ」で指定された装置である。サイネージ装置３０は、端末装置２０から通知された視認情報を受け付け、時刻情報、当該端末装置の識別情報、自装置の装置ＩＤとともに管理サーバ１０に送信する。管理サーバ１０は、視認情報取得部１Ｃを介して当該サイネージ装置に対する視認情報を取得し、視認履歴ＤＢ１Ｅに格納する。管理サーバ１０は、視認履歴ＤＢ１Ｅに格納された各サイネージ装置に対する視認履歴に基づいて、広告コンテンツの視認回数を計数する。そして、管理サーバ１０は、係数された視認回数が予約表示情報テーブルに格納された表示条件に該当したタイミングで、専用のコンテンツとメッセージを該当するサイネージ装置３０（装置ＩＤ「００５」）に出力する。
【０１５１】
（処理の流れ）
次に、図１８、図１９を参照して、第３実施形態に係る管理サーバ１０の処理を説明する。図１８は、視認情報の取得処理の一例を示すフローチャートである。図１８のフローチャートにおいて、処理の開始は、サイネージ装置３０から送信された視認情報の受け付けのときが例示される。管理サーバ１０は、受け付けた視認情報を取得する（Ｓ５１）。取得された視認情報は、主記憶部１０２の所定の領域に一時的に記憶される。
【０１５２】
管理サーバ１０は、視認情報から、サイネージ装置３０の装置ＩＤ、端末装置２０の識別情報、視認情報を受信した時刻情報を抽出する（Ｓ５２）。そして、管理サーバ１０は、視認履歴ＤＢ１Ｅの当該装置ＩＤに対応する視認情報履歴テーブルに、端末装置２０の識別情報と視認情報を受信した時刻情報とを対応付けて記録する（Ｓ５３）。Ｓ５３の処理後、図１８の処理が終了される。
【０１５３】
以上の処理により、管理サーバ１０は、視認情報を受け付けたサイネージ装置毎に、端末装置２０の識別情報と、視認情報をサイネージ装置３０が受け付けた時刻情報とを関連付けて視認履歴ＤＢ１Ｅに記録できる。管理サーバ１０は、取得した視認情報を履歴として視認履歴ＤＢ１Ｅに蓄積できる。
【０１５４】
次に、図１９の処理を説明する。図１９の処理は、第１実施形態の図７に示すＳ１６の肯定判定（Ｓ１６，“Ｙｅｓ”）後に実行される処理の一例を示すフローチャートである。第３実施形態においては、図７に示すＳ１６の肯定判定（Ｓ１６，“Ｙｅｓ”）後に、図１９に示すＳ６１からＳ６４、Ｓ６５からＳ６６の処理が実行される。なお、図７および図１９の処理は、予約表示情報ＤＢ１Ｄの完了ステータスフィールドに「未完」ステータスが格納された予約ＩＤ毎に定期的に実行される。
【０１５５】
図１９のフローチャートにおいて、管理サーバ１０は、表示条件が登録されているか否かを判断する（Ｓ６１）。管理サーバ１０は、表示条件フィールドに専用の表示情報を表示させるための条件が格納されている場合には（Ｓ６１，“Ｙｅｓ”）、Ｓ６２の処理に移行する。一方、管理サーバ１０は、表示条件フィールドに専用の表示情報を表示させるための条件が存在しないことを示す情報（「---」や空欄等）が格納されている場合には
（Ｓ６１，“Ｎｏ”）、Ｓ１９の処理に移行する。
【０１５６】
Ｓ６２の処理では、管理サーバ１０は、サイネージ装置３０に専用の表示情報を表示させるための表示条件（視認情報を取得する装置ＩＤ、視認回数）を取得する。表示条件に指定される装置ＩＤは、Ｓ６３の処理に引き渡される。また、表示条件に指定される視認回数は、Ｓ６４の処理に引き渡される。
【０１５７】
Ｓ６３の処理では、管理サーバ１０は、表示条件で指定された装置ＩＤに基づいて、当該装置ＩＤに対応するサイネージ装置３０の視認回数を集計する。管理サーバ１０は、例えば、視認履歴ＤＢ１Ｅを参照し、蓄積された視認情報の履歴を特定する。そして、管理
サーバ１０は、表示対象者フィールドに格納された端末装置２０を識別する識別情報に基づいて、当該端末装置の履歴に蓄積された視認情報の回数を集計する。管理サーバ１０は、集計された視認情報の回数を主記憶部１０２の所定の領域に記憶し、Ｓ６４の処理に移行する。
【０１５８】
Ｓ６４の処理では、集計された視認情報の回数と、表示条件で指定された視認回数との一致が判断される。管理サーバ１０は、集計された視認情報の回数と、表示条件で指定された視認回数とが一致する場合には（Ｓ６４，“Ｙｅｓ”）、Ｓ１８の処理に移行する。一方、管理サーバ１０は、集計された視認情報の回数と、表示条件で指定された視認回数とが一致しない場合には（Ｓ６４，“Ｎｏ”）、図７および図１９に示す処理を終了させる。
【０１５９】
Ｓ１８からＳ１Ａの処理では、図８と同様の処理が行われる。Ｓ１Ａの処理では、表示条件において視認情報の取得が指定された装置ＩＤに対しては、表示情報番号と構成パターンの番号とで特定される広告コンテンツの表示データがサイネージ装置３０に出力される。また、表示条件が登録された装置ＩＤに対しては、表示情報番号と構成パターンの番号とで特定される広告コンテンツの表示データ、および、当該表示データとともに表示されるメッセージ情報がサイネージ装置３０に出力される。
【０１６０】
Ｓ１Ａの処理後、管理サーバ１０は、処理対象の装置ＩＤに対して表示条件が登録されているかを判断する（Ｓ６５）。管理サーバ１０は、Ｓ６１の処理と同様にして、表示条件が登録されているかを判断する。管理サーバ１０は、表示条件が登録されている場合には（Ｓ６５，“Ｙｅｓ”）、Ｓ１Ｂの処理に移行する。一方、管理サーバ１０は、表示条件が登録されていない場合には（Ｓ６５，“Ｎｏ”）、図７および図１９に示す処理を終了させる。
【０１６１】
Ｓ１Ｂの処理では、表示条件に指定された装置ＩＤ、および、表示条件が登録された装置ＩＤについて、サイネージ枠の表示完了を記録する。管理サーバ１０は、例えば、予約表示情報ＤＢ１９を参照し、上記装置ＩＤに該当する完了ステータスフィールドに、「完了」等のステータス情報を一括して記録する。Ｓ１Ｂの処理後、図７および図１９に示す処理を終了させる。
【０１６２】
以上の処理により、第３実施形態に係る管理サーバ１０は、指定されたサイネージ装置３０のサイネージ枠に表示された表示情報の視認情報の履歴に基づいて、ユーザの視認回数が一定回数に到達したことを判断できる。管理サーバ１０は、ユーザの視認回数が一定回数に到達したときには、指定されたサイネージ装置３０のサイネージ枠に、専用の表示情報とメッセージ情報を表示させることができる。
【０１６３】
なお、第３実施形態においても、第１実施形態の変形例１に示す、サイネージ装置３０の備えるカメラ３０６で撮影された映像に基づいて対象者を検知する形態が適用できる。同様にして、第１実施形態の変形例２に示す、サイネージ装置３０と端末装置２０との間の近距離無線通信に基づいて対象者を検知する形態が適用できる。
【０１６４】
＜その他の実施形態＞
上記の実施形態はあくまでも一例であって、本実施の形態の開示はその要旨を逸脱しない範囲内で適宜変更して実施しうる。本開示において説明した処理や手段は、技術的な矛盾が生じない限りにおいて、自由に組み合わせて実施することができる。
【０１６５】
また、１つの装置が行うものとして説明した処理が、複数の装置によって分担して実行されてもよい。あるいは、異なる装置が行うものとして説明した処理が、１つの装置によ
って実行されても構わない。コンピュータシステムにおいて、各機能をどのようなハードウェア構成（サーバ構成）によって実現するかは柔軟に変更可能である。
【０１６６】
情報処理装置その他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０１６７】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ等がある。
【符号の説明】
【０１６８】
１      サイネージシステム
１０    管理サーバ
１１    受付部
１２    登録処理部
１３    位置情報取得部
１４    表示情報出力部
１５    サイネージ装置ＤＢ
１６、１Ｂ    広告情報ＤＢ
１７    購入者情報ＤＢ
１８    地図情報ＤＢ
１９、１Ｄ    予約表示情報ＤＢ
１Ａ    画像情報取得部
１Ｃ    視認情報取得部
１Ｅ    視認履歴ＤＢ
２０    端末装置
３０    サイネージ装置
【図１】
2020052486.tif 000003
【図２】
2020052486.tif 000004
【図３】
2020052486.tif 000005
【図４】
2020052486.tif 000006
【図５】
2020052486.tif 000007
【図６】
2020052486.tif 000008
【図７】
2020052486.tif 000009
【図８】
2020052486.tif 000010
【図９】
2020052486.tif 000011
【図１０】
2020052486.tif 000012
【図１１】
2020052486.tif 000013
【図１２】
2020052486.tif 000014
【図１３】
2020052486.tif 000015
【図１４】
2020052486.tif 000016
【図１５】
2020052486.tif 000017
【図１６】
2020052486.tif 000018
【図１７】
2020052486.tif 000019
【図１８】
2020052486.tif 000020
【図１９】
2020052486.tif 000021